(57)【要約】【課題】      プラスチックチャックの開口側フランジ部を把持して両側に引っ張ることによりプラスチックチャックを開放する際のフランジ部の滑りを防止でき、かつ製袋時に袋体の外観不良を起こす恐れのないプラスチックチャックを提供すること。【解決手段】  雄雌一対の鈎爪とその各々のフランジ部とによって構成されたプラスチックチャックにおいて、雄爪の開口側フランジ部と雌爪の開口側フランジ部との何れか一方又は両方の内面に、すべり止め用の凹部を設ける。【選択図】    図１
2005126071.tif 000002
【特許請求の範囲】
【請求項１】
雄雌一対の鈎爪とその各々のフランジ部とによって構成されたプラスチックチャックにおいて、雄爪の開口側フランジ部と雌爪の開口側フランジ部との何れか一方又は両方の内面に、すべり止め用の凹部を設けたことを特徴とする易開放性プラスチックチャック。
【請求項２】
凹部が、円形、楕円形又は三角形以上の多角形の複数個の窪みである請求項１に記載の易開放性プラスチックチャック。
【請求項３】
凹部が、互いに交叉するか又は鈎爪に平行で且つ互いに平行な複数本の溝である請求項１に記載の易開放性プラスチックチャック。
【請求項４】
凹部の深さが０．０５〜０．１０ｍｍである、請求項１〜３の何れかに記載の易開放性プラスチックチャック。
【請求項５】
凹部が、ローレット加工によって形成されたものである、請求項１〜４の何れかに記載の易開放性プラスチックチャック。
【請求項６】
請求項１〜５の何れかに記載の易開放性プラスチックチャックを備えていることを特徴とする袋体。
【発明の詳細な説明】
【技術分野】
【０００１】
本発明は、食品、薬品などの簡易な包装材として広く使用されている、プラスチックチャック付き包装容器に用いられる、開放が容易であり、再封止が可能なプラスチックチャック及びそれを備えた袋体に関する。
【背景技術】
【０００２】
従来、雄雌一対の鈎爪とその各々のフランジ部とによって構成されたプラスチックチャックを備えた軟質包装材は、軽量、安価、リサイクルの容易さ、使用後の減容積率の大きさ、などの利点を有するため、種々の物品の包装容器として使用されている。
そして、その使用量、用途が広がっていくに従って、子供からお年寄りまで幅広い範囲の人により使用され始めている。
プラスチックチャックの開放は、通常は、各鈎爪の開口側フランジ部を把持して両側に引っ張ることにより行なうが、フランジ部が平滑なプラスチックフィルムからなる場合は滑りやすいため、子供やお年寄りなどの力の弱い人や、手が油汚れしている人などには、開放し難いという問題があり解決が望まれていた。
【０００３】
従来、プラスチックチャックの開口側フランジ部の形状に関し、幾つかの試み・提案がなされている。
図３及び４は、従来技術の例を示す図であり、各々、（Ａ）は係合状態にあるプラスチックチャックの断面図を、（Ｂ）はプラスチックチャックの雌爪側の平面図を、各々示している。
図３に示した例は、雄爪１１側、雌爪１２側の各々の開口側フランジ部２１、２２の内面の開口端にリブ５１、５２を設けた例であり、図４に示した例は、雄爪１１側、雌爪１２側の各々の開口側フランジ部２１、２２の内面に、雄爪、雌爪各々に平行に伸長する多数の隆起部６１、６２を設けた例である（例えば、特許文献１参考）。
しかし、図３に示した例の場合のリブ５１，５２も、図４に示した例の場合の隆起部６１、６２も、何れも、フランジ部の内面から突出する凸形状であるため、製袋時のプラスチックチャックと袋体本体のプラスチックフィルムとの溶着の際にしわが発生して、袋体の外観不良を起こす恐れがある。
【０００４】
【特許文献１】特開昭６２−７８０６２号公報（第１頁、第１図）
【発明の開示】
【発明が解決しようとする課題】
【０００５】
本発明は、プラスチックチャックの開口側フランジ部を把持して両側に引っ張ることによりプラスチックチャックを開放する際のフランジ部の滑りを防止でき、かつ製袋時に袋体の外観不良を起こす恐れのないプラスチックチャックを提供することを目的とする。
【課題を解決するための手段】
【０００６】
本発明者は、鋭意研究の結果、プラスチックチャックの開口側フランジ部の内面にすべり止め用の凹部を設けることにより、上記課題を解決し得ることを見出した。本発明は、かかる知見に基いて完成したものである。
【０００７】
すなわち、本発明は、
（１）雄雌一対の鈎爪とその各々のフランジ部とによって構成されたプラスチックチャックにおいて、雄爪の開口側フランジ部と雌爪の開口側フランジ部との何れか一方又は両方の内面に、すべり止め用の凹部を設けた易開放性プラスチックチャック、
（２）凹部が、円形、楕円形又は三角形以上の多角形の複数個の窪みである上記（１）の易開放性プラスチックチャック、
（３）凹部が、互いに交叉するか又は鈎爪に平行で且つ互いに平行な複数本の溝である上記（１）の易開放性プラスチックチャック、
（４）凹部の深さが０．０５〜０．１０ｍｍである、上記（１）〜（３）の何れかの易開放性プラスチックチャック、
（５）凹部が、ローレット加工によって形成されたものである、上記（１）〜（４）の何れかの易開放性プラスチックチャック、及び
（６）上記（１）〜（５）の何れかの易開放性プラスチックチャックを備えた袋体
である。
【発明の効果】
【０００８】
プラスチックチャックの開口側フランジ部の内面にすべり止め用の凹部を設けることにより、製袋時に袋体の外観不良を発生させない、易開放性プラスチックチャックとすることができた。
【発明を実施するための最良の形態】
【０００９】
以下、図面を用いて本発明を更に詳しく説明する。
図１は、本発明の１態様を示す図であり、（Ａ）は係合状態にあるプラスチックチャックの断面図を、（Ｂ）はプラスチックチャックの雌爪側の平面図を、各々示している。
図１に示した態様においては、雄爪１１側、雌爪１２側の各々の開口側フランジ部２１、２２の内面の鈎爪側に円形の複数の窪みからなる凹部３１、３２が設けられている。  図２は、本発明の他の態様を示す図であり、（Ａ）は係合状態にあるプラスチックチャックの断面図を、（Ｂ）はプラスチックチャックの雌爪側の平面図を、各々示している。  図２に示した態様においては、雄爪１１側、雌爪１２側の各々の開口側フランジ部２１、２２の内面の鈎爪側に、互いに交叉する複数本の溝からなる凹部４１、４２が設けられている。
【００１０】
凹部は、図１に示した円形の窪みからなる凹部及び図２に示した互いに交叉する複数本の溝からなる凹部に限らず、楕円形又は三角形以上の多角形の複数個の窪みからなる場合や、鈎爪に平行で且つ互いに平行な複数本の溝からなる場合であっても良い。
凹部の深さは、すべり止めという目的を達成する為には、０．０５〜０．１０ｍｍであるのが好ましい。
【００１１】
凹部は、雄爪の開口側フランジ部と雌爪の開口側フランジ部の何れか一方の内面に設けるだけでも良いが、プラスチックチャックを容易且つ確実に開放するためには、両方に設ける方が好ましい。
又、凹部は、必ずしも、開口側フランジ部の内面の全体に設ける必要はなく、図１、図２に示すように、開口側フランジ部の鈎爪側に偏在させて設けても良いが、少なくとも、開口側フランジ部の鈎爪から１〜４ｍｍの範囲には、必ず凹部を存在させる、即ち、鈎爪から１〜４ｍｍの範囲の全体又は一部に凹部を存在させるのが好ましい。
【００１２】
凹部を形成する方法、時期には特に制限はないが、雄爪と雌爪とを係合する前の、雄爪側、雌爪側を別々に成形する際に、ローレット法により形成するのが、作業性などの点で好ましい。
【００１３】
プラスチックチャックは、図１及び図２に描かれている形状の雄爪、雌爪を有する通常型のものに限らず、例えば、特許第２９３８７８４号に記載されている、密閉型のものであっても良い。
また、開口側フランジ部も、図１及び図２に描かれているように、雄爪の開口側フランジ部と雌爪の開口側フランジ部の長さ（爪から開口端までの長さ）が同じである必要はなく、長さを異にすることによって、端部を掴み易くしても良い。
【実施例】
【００１４】
以下、実施例により、本発明を説明する。
【００１５】
実施例１
図１に示すごときプラスチックチャックを、雄爪側、雌爪側を別々に直鎖形低密度ポリエチレンポリエチレン（Ｌ−ＬＤＰＥ）で成形し、雄爪と雌爪とを係合することにより、製造した。
雄爪、雌爪からなる爪部の係合状態における幅は１８ｍｍ、厚さ（高さ）は１．７５ｍｍであり、フランジ部は、雄爪、雌爪共に、厚さが０．１５ｍｍ、開口側の長さが１０．５ｍｍ、内容物側の長さが５．５ｍｍである。
雄爪の開口側フランジ部及び雌爪の開口側フランジ部の各々の内面の、鈎爪から６ｍｍの範囲に、雄爪と雌爪とを係合する前に、ローレット加工により、直径０．５ｍｍ、深さ０．０５ｍｍの円形の窪みからなる凹部を、相互の間隔が０．５ｍｍとなるようにして設けた。
【００１６】
上記で得られたプラスチックチャックを使用して、該プラスチックチャックを備えた、幅２２０ｍｍ、高さ３２０ｍｍ（何れも外寸）の平袋を、連続製袋機により製造したが、袋体の外観不良を発生させずに、安定的に袋体を製造することができた。
【００１７】
実施例２
雄爪の開口側フランジ部及び雌爪の開口側フランジ部の各々の内面の、開口端から６ｍｍの範囲に、雄爪と雌爪とを係合する前に、ローレット加工により、直径０．５ｍｍ、深さ０．０５ｍｍの円形の窪みからなる凹部を、図２に示すように、相互の間隔が１．０ｍｍとなるよう交叉させて設けた以外は、実施例１と同様に行なったところ、袋体の外観不良を発生させずに、安定的に袋体を製造することができた。
【産業上の利用可能性】
【００１８】
本発明のプラスチックチャックは、容易に開放ができ、しかも製袋時に袋体の外観不良を発生させないものであり、軽量、安価、リサイクルの容易さ、使用後の減容積率の大きさ、などの点から広く普及してきているプラスチック製包装容器に好適に使用することができる。
【図面の簡単な説明】
【００１９】
【図１】本発明の１態様を示す図であり、（Ａ）は係合状態にあるプラスチックチャックの断面図を、（Ｂ）はプラスチックチャックの雌爪側の平面図を、各々示している。
【図２】本発明の他の態様を示す図であり、（Ａ）は係合状態にあるプラスチックチャックの断面図を、（Ｂ）はプラスチックチャックの雌爪側の平面図を、各々示している。
【図３】従来技術の１例を示す図であり、（Ａ）は係合状態にあるプラスチックチャックの断面図を、（Ｂ）はプラスチックチャックの雌爪側の平面図を、各々示している。
【図４】従来技術の他の例を示す図であり、（Ａ）は係合状態にあるプラスチックチャックの断面図を、（Ｂ）はプラスチックチャックの雌爪側の平面図を、各々示している。
【符号の説明】
【００２０】
１１  雄爪
１２  雌爪
２１、２２  開口側フランジ部
３１、３２  窪みからなる凹部                                                    ４１、４２  溝からなる凹部
５１、５２  リブ
６１、６２  隆起部
【図１】
2005126071.tif 000003
【図２】
2005126071.tif 000004
【図３】
2005126071.tif 000005
【図４】
2005126071.tif 000006